(57)【要約】【課題】脇の肉がカップ部から流れず、乳房の形を美しく補整することのできるカップ部用芯材及びそれを備えたブラジャーを提供する。【解決手段】カップ部を有する衣類のカップ部の内側縁１ｂから下縁１ｃを通って脇側縁１ｄにかけて沿設されたカップ部用芯材２であって、カップ部用芯材２の脇側端部５が、他の部分よりも身体側へ近づく方向に湾曲されたことを特徴とするカップ部用芯材２である。脇側端部を身体側へ近づく方向に湾曲させることにより、脇側端部が身体側へ押圧する。したがって、脇側端部５を身体側へ近づく方向に湾曲させることにより、脇側端部５が身体側へ押圧する。したがって、本カップ部用芯材２を設けた衣類を着用する時に、脇肉をカップ部１内に収めておけば、脇肉がカップ部１外へ流れるのを防止することができる。乳房を美しく保形することができる。【選択図】図１
0003113484.tif 000002
【実用新案登録請求の範囲】
【請求項１】
カップ部を有する衣類のカップ部の内側縁から下縁を通って脇側縁にかけて沿設されるカップ部用芯材であって、脇側端部が身体側へ近づく方向に湾曲されたことを特徴とするカップ部用芯材。
【請求項２】
前記脇側端部の先端が、カップ部の上縁の肩ストラップ取付位置まで延設されたことを特徴とする請求項１記載のカップ部用芯材。
【請求項３】
カップ部用芯材の下部内面側に、補強材が積層されたことを特徴とする請求項１又は２記載のカップ部用芯材。
【請求項４】
請求項１〜４のいずれかに記載のカップ部用芯材が設けられたことを特徴とするカップ部を有する衣類。
【考案の詳細な説明】
【技術分野】
【０００１】
本考案は、カップ部を有する衣類のカップ部の縁に沿って設けられるカップ部用芯材及びそれを備えたカップ部を有する衣類に関するものである。
【背景技術】
【０００２】
ブラジャー、ボディスーツ等のカップ部を有する衣類は、カップ部の下縁に沿って芯材が沿設されている。芯材により、乳房が持ち上がってバストアップでき、乳房の形を美しい形に補整することができる。
【考案の開示】
【考案が解決しようとする課題】
【０００３】
しかしながら、乳房を持ち上げると、脇の肉がカップ部から外へ流れてしまい、乳房の形を美しく補型することができなかった。
【０００４】
本考案は、上記課題に鑑み、脇の肉がカップ部から流れず、乳房の形を美しく補整することのできるカップ部用芯材及びそれを備えたブラジャーの提供を目的としている。
【課題を解決するための手段】
【０００５】
上記目的を達成するため、本考案は、カップ部を有する衣類のカップ部の内側縁から下縁を通って脇側縁にかけて沿設されるカップ部用芯材であって、カップ部用芯材の脇側端部が、他の部分よりも身体側へ近づく方向に湾曲されたことを特徴とするカップ部用芯材である。
【０００６】
脇肉とは、腕の付根と乳房との間の付近の部分の肉のことである。カップ部用芯材の脇側端部とは、この脇肉付近に位置する部分のことである。詳しくは、脇側端部とは、カップ部用芯材のうち、カップ部の略中心高さの位置Ｌ１から上方に位置する脇側部分のことである。
【０００７】
脇側端部を身体側へ近づく方向に湾曲させることにより、脇側端部が身体側へ押圧する。したがって、本カップ部用芯材を設けた衣類を着用する時に、脇肉をカップ部内に収めておけば、その後、脇肉がカップ部外へ流れるのをせき止めることができる。
【０００８】
また、フルカップや３／４カップのカップ部の場合には、脇側端部の先端を、カップ部の上縁の途中まで延設させるのが好ましい。詳しくは、カップ部の脇側縁と上側縁とのコーナー部分をカバーできるように、通常、肩ストラップが取り付けられる位置に至るまで延設させればよいが、さらには、カップ部の中心線（カップ部の中心を通り、水平面に対して垂直な線、以下同じ）を超える位置まで延設してもよい。
【０００９】
以上の構成によると、脇側縁の押圧に加え、上側縁も押圧することにより、脇肉がカップ外へ流れるのをより効果的に防止することができる。
【００１０】
また、カップ部用芯材の下部内面側に、補強材を積層するのが好ましい。補強材としては、スチールワイヤが挙げられるが、これに限定されるものではない。カップ部の下部には乳房の重力により負荷がかかるが、補強材を設けることにより、カップ部用芯材の保形性を高めることができる。なお、カップ部用芯材の下部とは、カップ部の下縁に対応する部分のことである。
【００１１】
上記のようなカップ部用芯材は、カップ部を有する衣類であれば特に限定されるものではないが、例えば、ブラジャー（ロングラインブラジャーを含む）、スリーインワン、ボディスーツ、フィットスリップ、レオタード、水着等のカップ部を有する衣類に適用することができる。
【考案の効果】
【００１２】
本考案によると、身体側へ近づく方向に湾曲した脇側端部が身体側へ押圧するので、脇肉がカップから流れるのを防止することができ、脇肉をカップ内に収めることができる。したがって、乳房をボリュームアップさせることができ、美しく保形することができる。
【考案を実施するための最良の形態】
【００１３】
以下、本考案の実施形態を図面に基づいて説明する。図１は本実施形態のブラジャーの装着状態を示す図、図２は左カップ部用のカップ部用芯材を身体と反対側から見た状態の斜視図、図３は左カップ部用のカップ部用芯材を身体と反対側から見た状態の正面図、図４はＡ−Ａ断面図、図５はＢ−Ｂ端面図である。
【００１４】
本実施形態のブラジャーは、図１に示すように、乳房を覆うための左右のカップ部１と、カップ部１の縁に沿設されたカップ部用芯材２と、カップ部１を支持し、胸周りを包囲する基布３と、カップ部１の上縁１ａと基布３の背側とを連結する左右の肩ストラップ４とから構成される。なお、本実施形態は一般的なブラジャーの構成を示したものであって、カップ部を有する構成であれば、本実施形態に限定されるものではない。
【００１５】
カップ部用芯材２は、略Ｃの字形状に形成され、カップ部１の内面の内側縁１ｂから下縁１ｃ及び脇側縁１ｄを通って、肩ストラップ４の付根位置にかけて沿設される。カップ部用芯材２は、身体に直接接触するのを防ぐために、その表面が布で覆われる。
【００１６】
ここで、脇肉とは、図１に示すように、腕の付根と、乳房との間の付近の部分の肉Ｂのことである。この脇肉付近に位置するカップ部用芯材２の部分を、脇側端部５とする。詳しくは、脇側端部５とは、カップ部用芯材２のうち、おおよそカップ部１の略中心高さＬ１の位置から、肩ストラップ４の付根に至るまでの脇側の部分のことである。
【００１７】
このカップ部用芯材２の脇側端部５は、図２及び図４に示すように、他の部分よりも身体側へ近づく方向に徐々に湾曲される。この湾曲した脇側端部５が身体側へ押圧するので、脇肉がカップ部１から外へ流れるのを防止することができ、脇肉をカップ部１内に収めることができる。
【００１８】
カップ部用芯材２の素材としては、形状記憶材料を用いるのが好ましい。形状記憶材料としては、限定されるものではないが、形状記憶合金や、形状記憶樹脂等が挙げられるが、本実施形態においては、形状記憶材料として、形状記憶合金であるＮｉ−Ｔｉ合金が使用される。
【００１９】
カップ部用芯材２に形状記憶材料を用いることにより、変形しても容易に元の立体形状に復帰でき、長期間の使用が可能な芯材とすることができる。また、形状記憶材料は、通常の芯材用金属を用いる場合に比べて、柔軟で弾力性があるので、身体への当たりが柔らかいフィット性の良いものとすることができる。さらに、カップ部用芯材２の両端には、樹脂製のキャップ２ａが嵌められる。身体への当たりを弱めることができる。
【００２０】
また、形状記憶合材料は、１８〜２５℃以上で弾性が出るように（柔軟性を持たせるように）される。この構成によれば、ブラジャー着用時には、体温によりカップ部用芯材の温度がおよそ１８〜２５℃になる。したがって、着用時には、形状記憶材料が柔軟性を持つので、より一層フィット性を高めるとともに、身体への当たりを弱めることができる。
【００２１】
また、図３及び図５に示すように、カップ部用芯材２の下部には、カップ部１のカップ形状を保持するために大きな負荷がかかるため、形状記憶合金をサポートするために、形状記憶合金にスチールワイヤ２ｂが積層される。この際、形状記憶合金を薄肉に形成し、その薄肉部分にスチールワイヤ２ｂを嵌め込むようにする。このように、スチールワイヤ２ｂを嵌め込めば、カップ部用芯材２が面一になって凹凸がなく、身体への衝撃が減るので好ましいが、形状記憶合金を薄肉に形成せずに、単にスチールワイヤ２ｂを積層する形態としてもよい。
【００２２】
また、カップ部用芯材２の内径は、ブラジャーのカップ部１の内径よりも小さく形成されている。カップ部用芯材２をカップ部１に装着する際は、カップ部用芯材２の内径を広げるように変形して取り付けられる。カップ部用芯材２には、周縁からカップ部１の中心に向かって寄せ集める力が発生するので、バストをボリュームアップさせることができる。また、脇肉がカップ外へ流れるのを防止することができる。
【００２３】
以上の構成によると、本ブラジャーは、脇肉Ｂをカップ部１内に寄せ集めるようにして着用すれば、身体側へ近づく方向に湾曲した脇側端部５が、身体側へ押圧するので、脇肉Ｂがカップ部１から流れるのを防止することができ、脇肉Ｂをカップ部１内に収めることができる。したがって、乳房をボリュームアップさせることができ、美しく保形することができる。
【図面の簡単な説明】
【００２４】
【図１】本実施形態のブラジャーの装着状態を示す図
【図２】左カップ部用のカップ部用芯材を身体と反対側から見た状態の斜視図
【図３】左カップ部用のカップ部用芯材を身体と反対側から見た状態の正面図
【図４】Ａ−Ａ断面図
【図５】Ｂ−Ｂ端面図
【符号の説明】
【００２５】
１    カップ部
１ａ  上縁
１ｂ  内側縁
１ｃ  下縁
１ｄ  脇側縁
２    カップ部用芯材
３    基布
４    肩ストラップ
５    脇側端部
【図１】
0003113484.tif 000003
【図２】
0003113484.tif 000004
【図３】
0003113484.tif 000005
【図４】
0003113484.tif 000006
【図５】
0003113484.tif 000007